(57)【要約】  本発明の実施形態は、ユーザ認証なしでの、ＰＳドメインによってアクセスされるＩＭＳネットワークを含むローカルネットワークと呼ばれるサービングネットワーク経由での、非緊急サービスを含む、ローカルサービスと呼ばれるサービスへのアクセスをサポートするように構成されたユーザ装置ＵＥを含む。
2019524035.tif 000002
【特許請求の範囲】
【請求項１】
−  ユーザ認証なしでの、ＰＳドメインによってアクセスされるＩＭＳネットワークを含むローカルネットワークと呼ばれるサービングネットワーク経由での、非緊急サービスを含む、ローカルサービスと呼ばれるサービスへのアクセスをサポートするように構成された、ユーザ装置ＵＥ。
【請求項２】
−  前記ＰＳドメインに対するアタッチ要求において、前記アタッチが、前記ローカルサービスへのアクセスのためであるという指示を提供するように構成される、請求項１に記載のユーザ装置ＵＥ。
【請求項３】
−  前記ローカルサービスへのアクセスのためにＩＭＳセッションを確立するのに先立って、ＩＭＳ登録を飛ばして進むように構成される、請求項１または２に記載のユーザ装置ＵＥ。
【請求項４】
−  前記ローカルネットワークにおいて、ローカルＰ−ＣＳＣＦと呼ばれるＰ−ＣＳＣＦに向けて、ＩＭＳセッション確立のためのＳＩＰ  ＩＮＶＩＴＥ要求を、これは前記ローカルサービスへのアクセスのためであるという指示とともに送信するように構成される、請求項１から３のいずれか一項に記載のユーザ装置ＵＥ。
【請求項５】
−  前記ローカルサービスへのアクセスのためのＩＭＳセッション確立のための、ＳＩＰ  ＩＮＶＩＴＥ要求において、要求−ＵＲＩを有するローカルサービス指示を提供するように構成される、請求項１から４のいずれか一項に記載のユーザ装置ＵＥ。
【請求項６】
−  前記ローカルサービス指示が、ローカルサービス−特有ＵＲＮを含む、請求項５に記載のユーザ装置ＵＥ。
【請求項７】
−  ローカルサービスに対するアクセスが前記ローカルネットワークによってサポートされる場合に限って、ユーザ認証なしに、前記ローカルサービスにアクセスする手続きを開始するように構成される、請求項１から６のいずれか一項に記載のユーザ装置ＵＥ。
【請求項８】
−  ローカルサービスに対する前記アクセスが前記ローカルネットワークによってサポートされるかどうかを示すブロードキャストされたシステム情報を受信するように構成される、請求項１から７のいずれか一項に記載のユーザ装置ＵＥ。
【請求項９】
−  認証されていないユーザによる、前記ＰＳドメインによってアクセスされるＩＭＳネットワークを含むローカルネットワークと呼ばれるサービングネットワーク経由での、非緊急サービスを含む、ローカルサービスと呼ばれるサービスへのアクセスをサポートするように構成される、ＰＳドメインエンティティ。
【請求項１０】
−  前記アタッチが前記ローカルサービスへのアクセスのためであるという指示を含むアタッチ要求を受信すること、
−  前記ローカルサービスへのアクセスのためのアタッチ手続き中、認証を飛ばして進む、または認証が失敗したことを受け入れ、アタッチ手続きを続行すること、
−  ＮＡＳセキュリティを実行しないこと、
−  ＨＳＳにロケーション更新要求を送信しないこと、またはＨＳＳからの不成功のロケーション更新応答のいずれも無視し、かつアタッチ手続きを続行すること、
−  前記ローカルサービスへのアクセスのためにアタッチされたＵＥのために、ローカルサービスのための構成データを使用して、ＰＤＮ接続を確立すること、
−  別のＰＤＮ接続を確立しようとするいずれの試みも拒否することのうちの少なくとも１つを実行するように構成される、ＥＰＣのためのＭＭＥなどの、請求項９に記載のＰＳドメインエンティティ。
【請求項１１】
前記構成データが、
−  前記ローカルサービスへのアクセスのために使用すべきＡＰＮ、
−  前記ローカルサービスへのアクセスのために使用すべきＰＧＷのＦＱＤＮ、
−  前記ローカルサービスへのアクセスのためのＰＤＮ接続に関して要求されるＱｏＳのうちの少なくとも１つを含む、請求項１０に記載のＰＳドメインエンティティ。
【請求項１２】
−  前記ローカルサービスへのアクセスのためのＩＭＳセッション確立時に、Ｐ−ＣＳＣＦからローカルサービス指示を受信し、
−  前記ローカルサービス指示に基づいて、前記ローカルサービスのためのＩＭＳセッションだけを許すように構成される、ＰＣＲＦなどの、請求項８に記載のＰＳドメインエンティティ。
【請求項１３】
−  認証されていないユーザによる、ＰＳドメインによってアクセスされる前記ＩＭＳネットワークを含むローカルネットワークと呼ばれるサービングネットワーク経由での、非緊急サービスを含む、ローカルサービスと呼ばれるサービスへのアクセスをサポートするように構成される、ＩＭＳネットワークエンティティ。
【請求項１４】
−  ＩＭＳセッション確立のためのＳＩＰ  ＩＮＶＩＴＥ要求を受信することであって、前記要求が、ローカルサービス指示を有する要求−ＵＲＩを含むこと、
−  前記ローカルサービスへのアクセスのためのＩＭＳセッション確立時に、ＰＣＲＦにローカルサービス指示を転送すること、
−  前記ローカルサービス指示に基づいて、要求を、前記ローカルサービスをサポートする、ローカルＣＳＣＦと呼ばれる前記ローカルネットワークにおけるローカルＣＳＣＦに送ることのうちの少なくとも１つを実行するように構成されたＰ−ＣＳＣＦを含む、請求項１３に記載のＩＭＳネットワークエンティティ。
【請求項１５】
−  前記ローカルサービス指示が、ローカルサービス−特有ＵＲＮを含む、請求項１４に記載のＩＭＳネットワークエンティティ。
【請求項１６】
−  ＩＭＳセッション確立のためのＳＩＰ  ＩＮＶＩＴＥ要求を受信し、前記要求が、ローカルサービス指示を有する要求−ＵＲＩを含み、
−  前記ローカルサービス指示に基づいて、要求を、前記ローカルサービスをサポートするアプリケーションサーバに送るように構成されたローカルＣＳＣＦを含む、請求項１３に記載のＩＭＳネットワークエンティティ。
【請求項１７】
−  前記ローカルサービス指示が、ローカルサービス−特有ＵＲＮを含む、請求項１６に記載のＩＭＳネットワークエンティティ。
【請求項１８】
−  前記ローカルサービス指示に対してフィルタ基準を使用して、前記アプリケーションサーバを識別するように構成された、請求項１６または１７に記載のローカルＣＳＣＦを含むＩＭＳネットワークエンティティ。
【請求項１９】
−  ＩＭＳセッション確立のためのＳＩＰ  ＩＮＶＩＴＥ要求を受信し、前記要求が、ローカルサービス指示を有する要求−ＵＲＩを含み、
−  前記ローカルサービスに要求を送るように構成されたアプリケーションサーバを含む、ＩＭＳネットワークエンティティ。
【請求項２０】
−  前記ローカルサービスのためにだけＩＭＳセッション確立を許すように構成されたアプリケーションサーバを含む、請求項１９に記載のＩＭＳネットワークエンティティ。
【請求項２１】
ＲＡＮエンティティであって、
−  認証されていないユーザによる、ＰＳドメインによってアクセスされるＩＭＳネットワークを含むローカルネットワークと呼ばれるサービングネットワーク経由での、非緊急サービスを含む、ローカルサービスと呼ばれるサービスへのアクセスをサポートするシステムにおいて、ローカルサービスに対するアクセスがローカルネットワークによってサポートされるかどうかを示すシステム情報をブロードキャストするように構成された、ＲＡＮエンティティ。
【請求項２２】
移動体システムの少なくとも１つのエンティティを動作させるための方法であって、
請求項１から８のいずれか一項に記載のとおりに構成されたユーザ装置、請求項９から１２のいずれか一項に記載のとおりに構成されたＰＳドメインエンティティ、請求項１３から２０のいずれか一項に記載のとおりに構成されたＩＭＳネットワークエンティティ、請求項２１に記載のとおりに構成されたＲＡＮエンティティのうちの少なくとも１つによって実行される少なくとも１つのステップを含む、方法。
【発明の詳細な説明】
【技術分野】
【０００１】
本発明は、一般に、通信ネットワークおよび通信システムに関し、詳細には、移動体通信ネットワークおよび移動体通信システムに関する。
【背景技術】
【０００２】
移動体ネットワークおよび移動体システムの説明は、特に、例えば、３ＧＰＰ（３ｒｄ  Ｇｅｎｅｒａｔｉｏｎ  Ｐａｒｔｎｅｒｓｈｉｐ  Ｐｒｏｊｅｃｔ）などの標準化団体によって公表される技術仕様書においてなど、文献において見出され得る。
【０００３】
一般に、移動体通信システムにおいて、ユーザ装置ＵＥは、サービングネットワーク（サービングＰＬＭＮ）経由でサービスにアクセスできる。詳細には、ＵＥは、ＰＳドメイン（ＬＴＥベースのＵＥのためのＥＰＣなどの）によってアクセスされるＩＭＳネットワークを含むサービングネットワーク経由でサービスにアクセスでき得る。
【０００４】
本発明者らによって認識されるとおり、かつ例に基づいて説明されるとおり、ＰＳドメインによってアクセスされるＩＭＳネットワークを含むサービングネットワーク経由または訪問先ネットワーク経由の特別な非緊急サービスに対するアクセスは、現在の標準仕様によって認証されていないユーザに関してサポートされない。
【０００５】
そのようなサポートのためのネットワーク改良およびシステム改良が必要とされる。
【発明の概要】
【課題を解決するための手段】
【０００６】
本発明の実施形態は、詳細には、そのような必要性に対処する。本発明の実施形態によってサポートされるサービスの例が、ＬＴＥベースのＵＥによる事業者サブスクリプションのセルフアクティベーションであり、それによって、ユーザは、特別な番号を呼び出してユーザのサブスクリプションをアクティブ化する。
【０００７】
これら、およびその他の目的が、一態様において：
−  ユーザ認証なしでの、ＰＳドメインによってアクセスされるＩＭＳネットワークを含むローカルネットワークと呼ばれるサービングネットワーク経由での、非緊急サービスを含む、ローカルサービスと呼ばれるサービスへのアクセスをサポートするように構成されたユーザ装置ＵＥによって実現される。
【０００８】
これら、およびその他の目的が、別の態様において：
−  認証されていないユーザによる、前記ＰＳドメインによってアクセスされるＩＭＳネットワークを含むローカルネットワークと呼ばれるサービングネットワーク経由での、非緊急サービスを含む、ローカルサービスと呼ばれるサービスへのアクセスをサポートするように構成されたＰＳドメインエンティティによって実現される。
【０００９】
これら、およびその他の目的が、別の態様において：
−  認証されていないユーザによる、ＰＳドメインによってアクセスされる前記ＩＭＳネットワークを含むローカルネットワークと呼ばれるサービングネットワーク経由での、非緊急サービスを含む、ローカルサービスと呼ばれるサービスへのアクセスをサポートするように構成されたＩＭＳネットワークエンティティによって実現される。
【００１０】
これら、およびその他の目的が、別の態様において：
−  認証されていないユーザによる、ＰＳドメインによってアクセスされるＩＭＳネットワークを含むローカルネットワークと呼ばれるサービングネットワーク経由での、非緊急サービスを含む、ローカルサービスと呼ばれるサービスへのアクセスをサポートするシステムにおいて、ローカルサービスに対するアクセスがローカルネットワークによってサポートされるかどうかを示すシステム情報をブロードキャストするように構成されたＲＡＮエンティティによって実現される。
【００１１】
これら、およびその他の目的が、別の態様において、移動体システムの前述したエンティティ（ユーザ装置、ＰＳドメインエンティティ、ＩＭＳネットワークエンティティ、ＲＡＮエンティティ）のうちの少なくとも１つを動作させるための、そのように構成されたエンティティによって実行される少なくとも１つのステップを含む方法によって実現される。
【００１２】
本発明の実施形態による装置および／または方法のいくつかの実施形態は、本発明の実施形態による、認証されていないユーザによるローカルサービスに対するアクセスに関するシグナリングフローの例を簡略化された様態で示すことを意図する、添付の図面を参照して、単に例として、説明される。
【図面の簡単な説明】
【００１３】
【図１】本発明の実施形態による、認証されていないユーザによるローカルサービスに対するアクセスに関するシグナリングフローの例を簡略化された様態で示す図である。
【発明を実施するための形態】
【００１４】
例として、ＬＴＥベースのＵＥ、およびＥ−ＵＴＲＡＮによってアクセスされるＥＰＣに対応するＰＳドメインのケースが、この説明においてより詳細に考慮される。しかし、本発明の実施形態は、そのような例に限定されないことに留意されたい。
【００１５】
いくつかの事業者は、ＵＩＣＣを有さない（もしくは損傷したＵＩＣＣを有する）、または「非アクティブの」ＵＩＣＣもしくは一度もアクティブ化されていないＵＩＣＣ（すなわち、ＨＳＳにおいて対応する有効なサブスクリプションを有さない）を有するＵＥが、緊急呼または事業者使用のために、サービングＰＬＭＮまたは訪問先ＰＬＭＮにおいて、特別な用途を有するローカルサービス番号にアクセスすることができるようにすることを所望する。
【００１６】
１つの例示的なユースケースが、ＬＴＥデバイスのセルフアクティベーションをサポートすることであり、すなわち、有効な事業者契約をまだ獲得しておらず、それゆえ、事業者ネットワークにおいて有効な加入者プロファイルを有さないＵＥが、ネットワークにアタッチすることができるが、そうすることができるのは、セルフアクティベーションのために事業者にアクセスする目的に限ってである。加入者が、デバイスを事業者契約に署名した後、加入者は、通常の加入者となる。
【００１７】
他の例は、例えば、ＩＶＲ／事業者サービス、コンシェルジュサービス、事業者顧客ケアサービス、公共情報サービスに対するアクセスを含む。
【００１８】
本発明の実施形態は、非緊急ユースケースを扱う。既存の３ＧＰＰ仕様によれば、認証されたＩＭＳＩを有さないＵＥは、Ｅ−ＵＴＲＡＮにアタッチすることができず、したがって、通常の呼および基礎をなすＬＴＥベアラを確立することができない。
【００１９】
そのような要件をサポートする標準ソリューションは存在しない。
【００２０】
本発明の実施形態は、そのような要件をサポートすることを可能にする。
【００２１】
本発明の実施形態は、限定されたサービス状態にあるＵＥ（例えば、ＵＩＣＣなしのＵＥ、またはアクティブ化されていないＵＩＣＣを有するＵＥ）が、非緊急サービスのために、サービングＰＬＭＮまたは訪問先ＰＬＭＮにおいて、Ｅ−ＵＴＲＡＮに登録して、特別な用途を有するローカルサービス番号にアクセスすることができるようにする、新たな「ローカルサービスのためのアタッチ」手続きを規定する。
【００２２】
いくつかの実施形態において：
ローカルサービスのためにアタッチするＵＥは、ＩＭＳ登録を飛ばして進み、ローカルサービスを受けるために、ローカルＰ−ＣＳＣＦ（サービングＰＬＭＮまたは訪問先ＰＬＭＮ）にＳＩＰ  ＩＮＶＩＴＥ要求を送信する。使用された要求−ＵＲＩから、ローカルＰ−ＣＳＣＦは、これが、事前の登録および認証なしに許された呼であることを識別する。ＩＭＳ呼は、Ｐ−ＣＳＣＦから特定のローカルＣＳＣＦに送られ、次に、このフィーチャをサポートすることが知られているアプリケーションサーバに送られる。アプリケーションサーバは、ローカルサービスに対する呼だけを許し、他の呼は阻止される。
【００２３】
いくつかの実施形態において：
この新たなフィーチャの使用は、サービング事業者の、または訪問先事業者のポリシーに則り、許可され、または許可されない。このフィーチャのサポート（およびそれを使用する許可）は、システム情報ブロードキャスト（ＳＩＢ）においてＲＡＮによってブロードキャストされてよい。
【００２４】
本発明の実施形態は、Ｅ−ＵＴＲＡＮによってアクセスされるＰＳドメインに適用可能であるだけではなく、例えば、本発明の実施形態は、ＵＴＲＡＮによってアクセスされるＰＳドメインに適用可能でもある。
【００２５】
本発明のいくつかの実施形態は、限定されたサービス状態にあるＵＥ（例えば、ＵＩＣＣなしのＵＥ、またはアクティブ化されていないＵＩＣＣを有するＵＥ）が、訪問先（ローカル）ＰＬＭＮにおいて、Ｅ−ＵＴＲＡＮに登録して、特別な用途を有するローカルサービス番号にアクセスすることができるようにする、新たな「ローカルサービスのためのアタッチ」手続きを規定する。
【００２６】
いくつかの実施形態において、以下のＥＰＣ原理の一部またはすべてが、「ローカルサービス」のための新たなアタッチタイプに適用され得る：
１．ＭＭＥが、ローカルサービスのためのＭＭＥ構成データ（ローカルサービスのために使用すべきＡＰＮ、ＱｏＳ、ＰＧＷ  ＦＱＤＮ、その他を含む）で構成される。
【００２７】
２．ＭＭＥが、ローカルサービスのためのアタッチ中、認証手続きおよびセキュリティ手続きを飛ばして進む、またはＭＭＥが、認証が失敗したことを受け入れ、アタッチ手続きを続行する。
【００２８】
３．ＮＡＳセキュリティ（完全性、暗号化）がまったく実行されない。
【００２９】
４．ＭＭＥは、ＨＳＳにロケーション更新要求を送信してはならない、またはＭＭＥは、ＨＳＳからの不成功のロケーション更新応答を無視し、かつアタッチ手続きを続行しなければならない。ＭＭＥは、アクセス制限を検査してはならない。
【００３０】
５．「ローカルサービス」（例えば、「ＩＭＳ．Ｌｏｃａｌ．Ｓｅｒｖｉｃｅｓ」）のために特定のＡＰＮが使用される。このＡＰＮは、ＰＧＷおよびＰＣＲＦにおける「ローカルサービス」を識別する。
【００３１】
６．ＰＣＲＦは、ローカルサービスのためのＩＭＳセッションだけを許すべきであり：すなわち、Ｐ−ＣＳＣＦは、セッションセットアップ時にＰＣＲＦに「ローカルサービス」インジケータを提供する必要がある。ＵＥは、ＳＩＰ  ＩＮＶＩＴＥ要求においてそのような指示を提供しなければならない。
【００３２】
７．ＭＭＥは、別のＰＤＮ接続を確立しようとするいずれの試みも拒否する。ＵＥによって要求されるＰＤＮ接続要求は、ローカルサービスのためのアタッチに関して許されない。
【００３３】
いくつかの実施形態において：
この新たなフィーチャの使用は、訪問先（ローカル）事業者のポリシーに則り、許可され、または許可されない。このフィーチャのサポート（およびそれを使用する許可）は、システム情報（ＳＩＢ）においてＲＡＮによってブロードキャストされてよい。
【００３４】
いくつかの実施形態において：
ＵＩＣＣを有さないＵＥが、ローカルサービスのためのアタッチを開始することが可能である。
「非アクティブの」ＵＩＣＣ（すなわち、ＨＳＳにおいて対応する有効なサブスクリプションを有さない）ＵＥが、通常のアタッチを行うとき、ユーザが認証されていないことを示す理由で拒否される。すると、このＵＥは、ローカルサービスのためのアタッチを開始して、訪問先ＰＬＭＮにおけるローカルサービスにアクセスすることが可能である。
【００３５】
いくつかの実施形態において、以下のＩＭＳ原理の一部またはすべてが、「ローカルサービス」のための新たなアタッチタイプに適用され得る：
８．ローカルサービスのためにアタッチされたＵＥが、ＩＭＳ登録を飛ばして進む。
【００３６】
９．ＵＥが、ローカルＰ−ＣＳＣＦにＳＩＰ  ＩＮＶＩＴＥ要求を送信する。ＩＭＳ呼が、Ｐ−ＣＳＣＦから特定のローカルＣＳＣＦに送られ、次に、このフィーチャをサポートすることが知られているアプリケーションサーバＡＳに送られる。アプリケーションサーバＡＳは、ローカルサービスに対する呼だけを許し、他の呼は阻止される。
【００３７】
１０．ＳＩＰ  ＩＮＶＩＴＥ要求は、新たな「ローカルサービス」指示を有するＲ−ＵＲＩを有する。そのような指示に関する例が、ローカルサービスを識別するサービス特有のＵＲＮを使用することである。このことは、異なるネットワーク事業者によって使用される異なるローカルサービス番号の問題を解決し、ローカルＰ−ＣＳＣＦが、そのような番号をマッチさせる大規模な表を必要としないことを確実にする。
【００３８】
１１．Ｐ−ＣＳＣＦは、セッションセットアップ時にＰＣＲＦに「ローカルサービス」インジケータを提供する（前述の６参照）。
【００３９】
１２．呼は、ローカルＣＳＣＦに送られ、ローカルＣＳＣＦにおいて、サービスＵＲＮに対するフィルタ基準が、サービス要求をサポートする特定のアプリケーションを識別する可能性がある。
【００４０】
いくつかの実施形態において：
ローミングしており、認証されていないＵＥが、訪問先ＰＬＭＮにおいてローカルサービスのためにアタッチすることができ、かつ訪問先ＰＬＭＮにおいてローカルサービスにアクセスすることができる。ＵＩＣＣを有さないＵＥは、指定されたネットワークを有さず、したがって、ローカルネットワークを探し出す、またはユーザがローカルネットワークを選択することを許す。
【００４１】
いくつかの実施形態において：
ＵＩＣＣなしのＵＥ、または認証されていないＩＭＳＩで、ＵＥのＩＭＥＩが、ＥＰＣにおいてＵＥを識別するのに使用され得る。ＩＭＳＩは、利用可能である場合、「認証されていない」フラグを有するＥＰＣシグナリングにおいて送られることが可能である。
【００４２】
添付の図は、本発明の実施形態による、認証されていないユーザによるローカルサービスに対するアクセスに関するシグナリングフローの例を簡略化された様態で示すことを意図する。図は、いくつかの重要な原理に焦点を合せて、簡略化された呼フローを示す。
【００４３】
いくつかの実施形態において、ＥＩＲ機構が、既存の３ＧＰＰ手続きの場合と同様に適用され得る。
【００４４】
いくつかの実施形態において、以下のステップの一部またはすべてが実行されてよい：
１．ＵＥが、ローカルサービスのためのアタッチを要求する。
【００４５】
２．ＭＭＥが、ローカルサービスのための構成データにおいて構成されたＰＧＷに向けて、ローカルサービスのために構成されたＡＰＮを使用してＰＤＮ接続を確立する。
【００４６】
５．アタッチが完了した後、ＵＥが、「ローカルサービス」指示を含むＳＩＰ  ＩＮＶＩＴＥ要求を送信する。
【００４７】
６．Ｐ−ＣＳＣＦが、ＩＭＳセッションセットアップ中にＰＣＲＦに「ローカルサービス」指示を転送する。このことは、ＰＤＮ接続上で確立されたＳＩＰセッションがローカルサービスにアクセスすることに限って使用されることを確実にすることを可能にする。
【００４８】
８．Ｐ−ＣＳＣＦが、ローカルサービスのためのＳＩＰセッションを、ローカルサービスをサポートすることが知られているローカルＣＳＣＦに向けて送る。
【００４９】
９．ローカルＣＳＣＦが、ローカルサービスのためのＳＩＰセッションを、ローカルサービスをサポートすることが知られているＡＳに向けて送る。
【００５０】
１０．ＡＳが、ＩＭＳセッションにローカルサービスを使用することだけを許す。ＡＳが、呼をローカルサービスに向けて送る。
【００５１】
１１．ローカルサービスのためのＳＩＰセッションが確立される。呼を扱う機構のために必要に応じてＳＩＰ  ２００  ＯＫに他の暫定的な応答が先行することが可能である。
【００５２】
本発明の実施形態は、このように、認証されていないユーザが、ＰＳドメインおよびＩＭＳを介して、サービングＰＬＭＮまたは訪問先ＰＬＭＮにおいて、特別な用途を有するローカルサービスにアクセスすることができるようにする。ローカルサービスは、事業者使用のためであり得る。例が、事業者サブスクリプションのセルフアクティベーションであり、それによって、ユーザは、特別な番号を呼び出してユーザのサブスクリプションをアクティブ化する。本発明の実施形態は、事業者に新たなサービス機会を提供する。
【００５３】
頭字語：
ＡＰＮ  アクセスポイント名
ＡＳ  アプリケーションサーバ
ＣＳＣＦ  呼セッション制御機能
ＥＩＲ  機器識別登録簿
ＥＰＣ  進化型パケットコア
Ｅ−ＵＴＲＡＮ  進化型ユニバーサル地上無線アクセスネットワーク
ＦＱＤＮ  完全修飾ドメイン名
ＨＳＳ  ホーム加入者サーバ
ＩＳＤ  インサート加入者データ（Ｉｎｓｅｒｔ  Ｓｕｂｓｃｒｉｂｅｒ  Ｄａｔａ）
ＩＭＳＩ  国際移動体加入者識別番号
ＩＭＥＩ  国際移動局機器識別番号
ＩＭＳ  ＩＰマルチメディアサブシステム
ＩＭＳＩ  国際移動体加入者識別番号
ＩＶＲ  自動音声応答
ＬＴＥ  ロングタームエボリューション
ＭＭＥ  モビリティ管理エンティティ
ＰＣＲＦ  ポリシーおよび課金規則機能
Ｐ−ＣＳＣＦ  プロキシ呼セッション制御機能
ＰＳ  パケット交換型
ＱｏＳ  サービス品質
ＲＡＮ  無線アクセスネットワーク
ＳＩＰ  セッション開始プロトコル
ＰＤＮ  パケットデータネットワーク
ＰＧＷ  ＰＤＮゲートウェイ
ＰＬＭＮ  公衆陸上移動体ネットワーク
ＵＥ  ユーザ装置
ＵＩＣＣ  ユニバーサル集積回路カード
ＵＲＩ  ユニフォームリソース識別子
ＵＲＮ  ユニフォームリソース名
ＵＴＲＡＮ  ユニバーサル地上無線アクセスネットワーク
【００５４】
本発明の様々な態様および／または実施形態は、以下の態様および／または実施形態を含む（ただし、それらには限定されない）。
【００５５】
いくつかの態様は、ユーザ装置ＵＥに関係する。
【００５６】
単独で、または組合せにより、様々な組合せで採用され得る、以下の実施形態を含む（ただし、それらには限定されない）様々な実施形態が提供される。
【００５７】
実施形態において、前記ユーザ装置ＵＥが：
−  ユーザ認証なしでの、ＰＳドメインによってアクセスされるＩＭＳネットワークを含むローカルネットワークと呼ばれるサービングネットワーク経由での、非緊急サービスを含む、ローカルサービスと呼ばれるサービスへのアクセスをサポートするように構成される。
【００５８】
実施形態において、前記ユーザ装置ＵＥが：
−  前記ＰＳドメインに対するアタッチ要求において、前記アタッチが、前記ローカルサービスへのアクセスのためであるという指示を提供するように構成される。
【００５９】
実施形態において、前記ユーザ装置ＵＥが：
−  前記ローカルサービスへのアクセスのためにＩＭＳセッションを確立するのに先立って、ＩＭＳ登録を飛ばして進むように構成される。
【００６０】
実施形態において、前記ユーザ装置ＵＥが：
−  前記ローカルネットワークにおいて、ローカルＰ−ＣＳＣＦと呼ばれるＰ−ＣＳＣＦに向けて、ＩＭＳセッション確立のためのＳＩＰ  ＩＮＶＩＴＥ要求を、これは前記ローカルサービスへのアクセスのためであるという指示とともに送信するように構成される。
【００６１】
実施形態において、前記ユーザ装置ＵＥが：
−  前記ローカルサービスへのアクセスのためのＩＭＳセッション確立のための、ＳＩＰ  ＩＮＶＩＴＥ要求において、要求−ＵＲＩを有するローカルサービス指示を提供するように構成される。
【００６２】
実施形態において：
−  前記ローカルサービス指示が、ローカルサービス−特有ＵＲＮを含む。
【００６３】
実施形態において、前記ユーザ装置ＵＥが：
−  ローカルサービスに対するアクセスが前記ローカルネットワークによってサポートされる場合に限って、ユーザ認証なしに、前記ローカルサービスにアクセスする手続きを開始するように構成される。
【００６４】
実施形態において、前記ユーザ装置ＵＥが：
−  ローカルサービスに対する前記アクセスが前記ローカルネットワークによってサポートされるかどうかを示すブロードキャストされたシステム情報を受信するように構成される。
【００６５】
他の態様は、ＰＳドメインエンティティに関係する。
【００６６】
単独で、または組合せにより、様々な組合せで採用され得る、以下の実施形態を含む（ただし、それらには限定されない）様々な実施形態が提供される。
【００６７】
実施形態において、前記ＰＳドメインエンティティが：
−  認証されていないユーザによる、前記ＰＳドメインによってアクセスされるＩＭＳネットワークを含むローカルネットワークと呼ばれるサービングネットワーク経由での、非緊急サービスを含む、ローカルサービスと呼ばれるサービスへのアクセスをサポートするように構成される。
【００６８】
実施形態において、ＥＰＣのためのＭＭＥなどの前記ＰＳドメインエンティティが：
−  前記アタッチが前記ローカルサービスへのアクセスのためであるという指示を含むアタッチ要求を受信すること、
−  前記ローカルサービスへのアクセスのためのアタッチ手続き中、認証を飛ばして進む、または認証が失敗したことを受け入れ、アタッチ手続きを続行すること、
−  ＮＡＳセキュリティを実行しないこと、
−  ＨＳＳにロケーション更新要求を送信しないこと、またはＨＳＳからの不成功のロケーション更新応答のいずれも無視し、かつアタッチ手続きを続行すること、
−  前記ローカルサービスへのアクセスのためにアタッチされたＵＥのために、ローカルサービスのための構成データを使用して、ＰＤＮ接続を確立すること、
−  別のＰＤＮ接続を確立しようとするいずれの試みも拒否することのうちの少なくとも１つを実行するように構成される。
【００６９】
実施形態において、前記構成データが：
−  前記ローカルサービスへのアクセスのために使用すべきＡＰＮ、
−  前記ローカルサービスへのアクセスのために使用すべきＰＧＷのＦＱＤＮ、
−  前記ローカルサービスへのアクセスのためのＰＤＮ接続に関して要求されるＱｏＳのうちの少なくとも１つを含む。
【００７０】
実施形態において、ＰＣＲＦなどの前記ＰＳドメインエンティティが：
−  前記ローカルサービスへのアクセスのためのＩＭＳセッション確立時に、Ｐ−ＣＳＣＦからローカルサービス指示を受信し、
−  前記ローカルサービス指示に基づいて、前記ローカルサービスのためのＩＭＳセッションだけを許すように構成される。
【００７１】
他の態様は、ＩＭＳネットワークエンティティに関係する。
【００７２】
単独で、または組合せにより、様々な組合せで採用され得る、以下の実施形態を含む（ただし、それらには限定されない）様々な実施形態が提供される。
【００７３】
実施形態において、前記ＩＭＳネットワークエンティティが：
−  認証されていないユーザによる、ＰＳドメインによってアクセスされる前記ＩＭＳネットワークを含むローカルネットワークと呼ばれるサービングネットワーク経由での、非緊急サービスを含む、ローカルサービスと呼ばれるサービスへのアクセスをサポートするように構成される。
【００７４】
実施形態において、前記ＩＭＳネットワークエンティティが：
−  ＩＭＳセッション確立のためのＳＩＰ  ＩＮＶＩＴＥ要求を受信することであって、前記要求は、ローカルサービス指示を有する要求−ＵＲＩを含むこと、
−  前記ローカルサービスへのアクセスのためのＩＭＳセッション確立時に、ＰＣＲＦにローカルサービス指示を転送すること、
−  前記ローカルサービス指示に基づいて、要求を、前記ローカルサービスをサポートする、ローカルＣＳＣＦと呼ばれる前記ローカルネットワークにおけるローカルＣＳＣＦに送ることのうちの少なくとも１つを実行するように構成されたＰ−ＣＳＣＦを含む。
【００７５】
実施形態において：
−  前記ローカルサービス指示が、ローカルサービス−特有ＵＲＮを含む。
【００７６】
実施形態において、前記ＩＭＳネットワークエンティティが：
−  ＩＭＳセッション確立のためのＳＩＰ  ＩＮＶＩＴＥ要求を受信し、前記要求は、ローカルサービス指示を有する要求−ＵＲＩを含み、
−  前記ローカルサービス指示に基づいて、要求を、前記ローカルサービスをサポートするアプリケーションサーバに送るように構成されたローカルＣＳＣＦを含む。
【００７７】
実施形態において：
−  前記ローカルサービス指示が、ローカルサービス−特有ＵＲＮを含む。
【００７８】
実施形態において、前記ＩＭＳネットワークエンティティが：
−  前記ローカルサービス指示に対してフィルタ基準を使用して、前記アプリケーションサーバを識別するように構成されたローカルＣＳＣＦを含む。
【００７９】
実施形態において、前記ＩＭＳネットワークエンティティが：
−  ＩＭＳセッション確立のためのＳＩＰ  ＩＮＶＩＴＥ要求を受信し、前記要求は、ローカルサービス指示を有する要求−ＵＲＩを含み、
−  前記ローカルサービスに要求を送るように構成されたアプリケーションサーバを含む。
【００８０】
実施形態において、前記ＩＭＳネットワークエンティティが：
−  前記ローカルサービスのためにだけＩＭＳセッション確立を許すように構成されたアプリケーションサーバを含む。
【００８１】
他の態様は、ＲＡＮエンティティに関係する。
【００８２】
以下の実施形態を含む（ただし、それらには限定されない）様々な実施形態が提供される。
【００８３】
実施形態において、前記ＲＡＮエンティティが：
−  認証されていないユーザによる、ＰＳドメインによってアクセスされるＩＭＳネットワークを含むローカルネットワークと呼ばれるサービングネットワーク経由での、非緊急サービスを含む、ローカルサービスと呼ばれるサービスへのアクセスをサポートするシステムにおいて、ローカルサービスに対するアクセスがローカルネットワークによってサポートされるかどうかを示すシステム情報をブロードキャストするように構成される。
【００８４】
他の態様は、移動体システムの前述したエンティティ（ユーザ装置、ＰＳドメインエンティティ、ＩＭＳネットワークエンティティ、ＲＡＮエンティティ）のうちの少なくとも１つを動作させるための、そのように構成されたエンティティによって実行される少なくとも１つのステップを含む方法に関係する。
【００８５】
前述した様々な方法のステップは、プログラミングされたコンピュータによって実行され得ることが当業者には認識されよう。本明細書において、いくつかの実施形態は、機械可読またはコンピュータ可読であり、かつ命令の機械実行可能プログラムまたはコンピュータ実行可能プログラムを符号化するプログラム記憶デバイス、例えば、デジタルデータ記憶媒体であって、前記命令は、前記前述した方法のステップのうちのいくつか、またはすべてを実行する、プログラム記憶デバイスを範囲に含むことも意図している。プログラム記憶デバイスは、例えば、デジタルメモリ、磁気ディスクおよび磁気テープなどの磁気記憶媒体、ハードドライブ、または光学的に可読なデジタルデータ記憶媒体であってよい。また、実施形態は、前述した方法の前記ステップを実行するようにプログラミングされたコンピュータを範囲に含むことも意図している。
【図１】
2019524035.tif 000003
【手続補正書】
【提出日】平成31年2月18日(2019.2.18)
【手続補正１】
【補正対象書類名】特許請求の範囲
【補正対象項目名】全文
【補正方法】変更
【補正の内容】
【特許請求の範囲】
【請求項１】
少なくとも１つのプロセッサと、
コンピュータプログラムコードを含む少なくとも１つのメモリとを含む装置であって、
少なくとも１つのメモリ、およびコンピュータプログラムコードが、少なくとも１つのプロセッサを用いて、装置に、
−  認証されていないユーザによる、ローカル事業者のポリシーに則った、パケット交換ドメインによってアクセスされるインターネットプロトコルマルチメディアサブシステムＩＭＳネットワークを含むローカルネットワークと呼ばれるサービングネットワーク経由での、前記ローカルネットワークにおける非緊急ローカルサービスへのアクセスをサポートさせるように構成される、装置。
【請求項２】
少なくとも１つのメモリ、およびコンピュータプログラムコードが、少なくとも１つのプロセッサを用いて、装置に少なくとも、
−  前記パケット交換ドメインに対するアタッチ要求において、前記アタッチ要求が、前記ローカルサービスへのアクセスのためであるという指示を提供させるように構成される、請求項１に記載の装置。
【請求項３】
少なくとも１つのメモリ、およびコンピュータプログラムコードが、少なくとも１つのプロセッサを用いて、装置に少なくとも、
−  前記ローカルサービスへのアクセスのためにＩＭＳセッションを確立するのに先立って、ＩＭＳ登録を飛ばして進ませるように構成される、請求項１または２に記載の装置。
【請求項４】
少なくとも１つのメモリ、およびコンピュータプログラムコードが、少なくとも１つのプロセッサを用いて、装置に少なくとも、
−  前記ローカルネットワークにおいて、ローカルＰ−ＣＳＣＦと呼ばれるプロキシ−呼セッション制御機能Ｐ−ＣＳＣＦに向けて、ＩＭＳセッション確立のためのセッション開始プロトコルＳＩＰ  ＩＮＶＩＴＥ要求を、これは前記ローカルサービスへのアクセスのためであるという指示とともに送信させるように構成される、請求項１から３のいずれか一項に記載の装置。
【請求項５】
少なくとも１つのメモリ、およびコンピュータプログラムコードが、少なくとも１つのプロセッサを用いて、装置に少なくとも、
−  前記ローカルサービスへのアクセスのためのＩＭＳセッション確立のための、セッション開始プロトコルＳＩＰ  ＩＮＶＩＴＥ要求において、要求ユニフォームリソース識別子ＵＲＩを有するローカルサービス指示を提供させるように構成される、請求項１から４のいずれか一項に記載の装置。
【請求項６】
−  前記ローカルサービス指示が、ローカルサービス−特有ユニフォームリソース名ＵＲＮを含む、請求項５に記載の装置。
【請求項７】
少なくとも１つのメモリ、およびコンピュータプログラムコードが、少なくとも１つのプロセッサを用いて、装置に少なくとも、
−  ローカルサービスに対するアクセスが前記ローカルネットワークによってサポートされる場合に、ユーザ認証なしに、前記ローカルサービスにアクセスする手続きを開始させるように構成される、請求項１から６のいずれか一項に記載の装置。
【請求項８】
少なくとも１つのメモリ、およびコンピュータプログラムコードが、少なくとも１つのプロセッサを用いて、装置に少なくとも、
−  ローカルサービスに対する前記アクセスが前記ローカルネットワークによってサポートされるかどうかを示すブロードキャストされたシステム情報を受信させるように構成される、請求項１から７のいずれか一項に記載の装置。
【請求項９】
−  認証されていないユーザによる、ローカル事業者のポリシーに則った、パケット交換ドメインによってアクセスされるインターネットプロトコルマルチメディアサブシステムＩＭＳネットワークを含むローカルネットワークと呼ばれるサービングネットワーク経由での、前記ローカルネットワークにおける非緊急ローカルサービスへのアクセスをサポートすることを含む、方法。
【請求項１０】
−  前記パケット交換ドメインに対するアタッチ要求において、前記アタッチ要求が、前記ローカルサービスへのアクセスのためであるという指示を提供することを含む、請求項９に記載の方法。
【請求項１１】
−  前記ローカルサービスへのアクセスのためにＩＭＳセッションを確立するのに先立って、ＩＭＳ登録を飛ばして進むことを含む、請求項９または１０に記載の方法。
【請求項１２】
−  前記ローカルネットワークにおいて、ローカルＰ−ＣＳＣＦと呼ばれるプロキシ−呼セッション制御機能Ｐ−ＣＳＣＦに向けて、ＩＭＳセッション確立のためのセッション開始プロトコルＳＩＰ  ＩＮＶＩＴＥ要求を、これは前記ローカルサービスへのアクセスのためであるという指示とともに送信することを含む、請求項９から１１のいずれか一項に記載の方法。
【請求項１３】
−  前記ローカルサービスへのアクセスのためのＩＭＳセッション確立のための、セッション開始プロトコルＳＩＰ  ＩＮＶＩＴＥ要求において、要求ユニフォームリソース識別子ＵＲＩを有するローカルサービス指示を提供することを含む、請求項９から１２のいずれか一項に記載の方法。
【請求項１４】
−  前記ローカルサービス指示が、ローカルサービス−特有ユニフォームリソース番号ＵＲＮを含む、請求項１３に記載の方法。
【請求項１５】
−  ローカルサービスに対するアクセスが前記ローカルネットワークによってサポートされる場合に、ユーザ認証なしに、前記ローカルサービスにアクセスする手続きを開始することを含む、請求項９から１４のいずれか一項に記載の方法。
【請求項１６】
−  ローカルサービスに対する前記アクセスが前記ローカルネットワークによってサポートされるかどうかを示すブロードキャストされたシステム情報を受信することを含む、請求項９から１５のいずれか一項に記載の方法。
【国際調査報告】
2019524035.tif 000004
2019524035.tif 000005
2019524035.tif 000006